Podtech/llm-jp-corpus-v4-ja_patent huggingface dataset:
(57)【要約】【課題】高温における耐酸化消耗性に優れるＩｒ合金を提供する。【解決手段】Ｒｈを３０〜８５ｍａｓｓ％、Ｔａを０．３〜５ｍａｓｓ％、残部がＩｒである、ことを特徴とする耐熱性Ｉｒ合金。 【選択図】なし【特許請求の範囲】
【請求項１】
Ｒｈを３０〜８５ｍａｓｓ％、
Ｔａを０．３〜５ｍａｓｓ％、
残部がＩｒである、
ことを特徴とする耐熱性Ｉｒ合金。
【請求項２】
Ｉｒの一部をＮｉ：０．３〜５ｍａｓｓ％に置換したことを特徴とする請求項１記載の耐熱性Ｉｒ合金。
【発明の詳細な説明】
【技術分野】
【０００１】
本発明は、耐熱性Ｉｒ合金に関する。
【背景技術】
【０００２】
高温用るつぼ、耐熱器具、ガスタービン、スパークプラグ、高温用センサ、ジェットエンジンなどに用いる耐熱材料として種々の合金が開発されている。主な耐熱材料として耐熱鋼、ニッケル基超合金、白金合金、タングステンなどが挙げられる。耐熱鋼、ニッケル基超合金、白金合金などは固相点が２０００℃未満でそれ以上の温度では使用できない。一方、タングステンやモリブデンなどの高融点金属は高温の大気中では酸化消耗が激しい。そこで高融点であって、かつ、耐酸化消耗性の高い耐熱材料としてＩｒ合金が開発されている。
【０００３】
特許文献１には、内燃機関用スパークプラグの貴金属チップに用いる、Ｉｒの高温揮発性を防止するためにＲｈを３ｗｔ％〜３０ｗｔ％添加したＩｒＲｈ合金が開示されている。そのような合金を採用することにより高温耐熱性に優れ、耐消耗性を向上させるチップが得られることが記載されている。
【先行技術文献】
【特許文献】
【０００４】
【特許文献１】特開平０９−００７７３３
【発明の概要】
【発明が解決しようとする課題】
【０００５】
耐熱材料として用いられるＩｒ合金は、高温における耐酸化消耗性が求められている。
【０００６】
そこで、本発明の目的は、高温における耐酸化消耗性に優れるＩｒ合金を提供することである。
【課題を解決するための手段】
【０００７】
本発明は、
Ｒｈを３０〜８５ｍａｓｓ％、
Ｔａを０．３〜５ｍａｓｓ％、
残部がＩｒである、
ことを特徴とする耐熱性Ｉｒ合金である。
【０００８】
上記の耐熱性Ｉｒ合金において、Ｉｒの一部をＮｉ：０．３〜５ｍａｓｓ％に置換してもよい。
【発明の効果】
【０００９】
本発明によれば、高温における耐酸化消耗性に優れるＩｒ合金を提供することができる。
【発明を実施するための形態】
【００１０】
本発明は、Ｒｈを３０〜８５ｍａｓｓ％、Ｔａを０．３〜５ｍａｓｓ％、残部がＩｒである、ことを特徴とする耐熱性Ｉｒ合金である。 
【００１１】
Ｒｈを３０〜８５ｍａｓｓ％含有するＩｒ合金は、高温の大気又は酸化雰囲気において結晶粒界からのＩｒの酸化揮発が抑制され、耐酸化消耗性が著しく改善される。Ｒｈの含有量が８５ｍａｓｓ％を超えると、融点及び再結晶温度が低下する。
【００１２】
Ｔａを０．３〜５ｍａｓｓ％含有するＩｒＲｈ合金は、高温の酸化雰囲気でＴａとＲｈの複合酸化膜を形成し，耐酸化消耗性が改善される。Ｔａの含有量が０．３ｍａｓｓ％を下回るとＩｒＲｈ合金の耐酸化消耗性の改善が不十分である。一方、Ｔａの含有量が５ｍａｓｓ％を超えるとＴａの酸化が顕著になり耐酸化消耗性が低下するとともに，塑性変形能が低下して加工が低下する。また、Ｔａを０．３〜５ｍａｓｓ％含有するＩｒＲｈ合金は、Ｔａによる固溶硬化により強度が向上する。Ｔａの含有量は０．５ｍａｓｓ％以上が好ましい。Ｔａの含有量は０．７ｍａｓｓ％以上がより好ましい。
【００１３】
上記の耐熱性Ｉｒ合金において、Ｎｉ：０．３〜５ｍａｓｓ％をＩｒに置換してもよい。すなわち、上記の耐熱性Ｉｒ合金におけるＩｒの一部を、Ｎｉ：０．３〜５ｍａｓｓ％に置き換えてもよい。
【００１４】
Ｎｉを０．３ｍａｓｓ％以上含有するＩｒＲｈＴａ合金は固溶硬化がさらに進み高温強度が増す。Ｎｉの含有量が５ｍａｓｓ％を超えると、融点および加工性が低下する。Ｎｉの含有量は０．５ｍａｓｓ％以上が好ましい。
【００１５】
上記の各合金は、各々が第２相を持たない単相の固溶体であるため展延性が良好で、公知の温間加工又は熱間加工により、いろいろな形状・寸法に塑性加工することができ、機械加工及び溶接も容易である。
【実施例】
【００１６】
本発明の実施例について説明する。実施例及び比較例の合金の組成を表１に、試験結果を表２に示す。
まず、各原料粉末（Ｉｒ粉末、Ｒｈ粉末、Ｔａ粉末、Ｎｉ粉末）を所定の割合で混合し、混合粉末を作製した。次いで、得られた混合粉末を一軸加圧成形機を用いて成形し圧粉体を得た。得られた圧粉体をアーク溶解法により溶解し、インゴットを作製した。
【００１７】
次いで、作製したインゴットを１５００℃以上で熱間鍛造し、幅１５ｍｍの角棒とした。この角棒を１０００℃〜１４００℃で溝圧延、スウェージング加工及びダイス伸線加工してφ０．５ｍｍの線材を得た。
【００１８】
加工性はインゴットから伸線までの上記加工工程にて、評価した。φ０．５の線材を得られたものを○、加工途中で割れが発生して線材が得られなかったものを×とした。
【００１９】
耐酸化消耗性の評価は、線材を長さ０．８ｍｍ切り出した各試験片を用いて高温酸化試験により行った。高温酸化試験は、電気炉内に試験片をセットし、大気中、１２００℃の条件で２０時間保持した。耐酸化消耗性は、前記高温酸化試験における質量変化と定義した。質量変化ΔＭ（ｍｇ／ｍｍ２）は、試験片の試験前の質量をＭ０（ｍｇ）、試験後の質量をＭ１（ｍｇ）、試験片の試験前の表面積をＳ（ｍｍ２）とし、ΔＭ＝（Ｍ１−Ｍ０）／Ｓの式から求めた。また、試験片の表面積Ｓ（ｍｍ２）は、試験片の寸法から算出した。
【００２０】
表２に示す結果から、実施例の合金は耐酸化性が良好であることが確認された。
【００２１】
また、実施例の合金はφ０．５ｍｍという細線にまで塑性加工ができ、さまざまな形状の製品が容易に得られることが示唆された。
【００２２】
【表１】
2019218572.tif 000002
【００２３】
【表２】
2019218572.tif 000003
(57)【要約】【課題】三次元電力増殖装置と三次元モーターの設置数を精査する必要がある。【解決手段】設置数により様々な物体の浮遊が可能となる。【選択図】図１
2019218037.tif 000002
【特許請求の範囲】
【請求項１】
三次元電力増殖装置の発電と同時に通電、振り子内蔵型三次元モーターにより物体を浮遊させる。
【発明の詳細な説明】
【技術分野】
【０００１】  本発明は浮遊装置に関する。
【背景技術】
【０００２】  図１に示すように、三次元電力増殖装置の発電と同時に通電、振り子内蔵型三次元モーターにより物体を浮遊させる。
【発明の概要】
【発明が解決しようとする課題】
【０００３】  物体を浮遊させることで、新しい移動手段を提供する。
【課題を解決するための手段】
【０００４】  本発明に係る浮遊装置は、三次元電力増殖装置の発電と同時に通電、三次元モーターにより形成される。
【発明の効果】
【０００５】  物体を浮遊させることで、新しい移動手段を提供する。
【図面の簡単な説明】
【０００６】
【図１】  浮遊装置の図面である。
【発明を実施するための形態】
【０００７】  いたるところに本発明による浮遊装置を導入する。従来のモニターやタブレット、スマートフォンなどを浮遊させたり、道路の標識を浮遊させたりする。
【図１】
2019218037.tif 000003
(57)【要約】      （修正有）【課題】従来型のコンドームの薄膜により、粘膜と粘膜との交接によらないため陰茎の感度が鈍り、交歓にいたらない場合があった。薄膜の内側の陰茎が接する部分に工夫をして、陰茎の摩擦の感度をあげるコンドームを提供する。【解決手段】コンドームの内側の薄膜に膣にみたてた柔軟な突起物等を加工することにより、陰茎の感度をあげるものである。【選択図】図１
2019122821.tif 000002
【特許請求の範囲】
【請求項１】
コンドームの薄膜の内側すなわち陰茎が接する部分については工夫がされていない。そこで膣の粘膜にみたてた突起物等をいくつか付着させ疑似膣状態を薄膜の内側に作る。
【請求項２】
突起物は実際の膣の柔らかさ相当の化学物質から硬めのものなど感度に合わせて選択する。
【発明の詳細な説明】
【技術分野】
【０００１】  本発明は、従来型のコンドームの薄膜により、粘膜と粘膜との交接によらないため陰茎の感度が鈍り、交歓にいたらない場合がある。そこで男女の性生活に資するためのコンドームの改良を行うものである。
【背景技術】
【０００２】  従来、コンドームにおいて膣の粘膜等に接する薄膜の外側の部分は、女性を満足させる意図でいくつかの工夫がされているが、コンドームの薄膜の内側すなわち陰茎が接する部分については工夫がされていない。
【発明の概要】
【発明が解決しようとする課題】
【０００３】  そこでコンドームの内側の薄膜に膣にみたてた柔軟な突起物を加工することにより、陰茎の摩擦の感度をあげるものである。
【課題を解決するための手段】
【０００４】  膣にみたてた突起物等は男性の陰茎の硬さによって柔らかい化学物質から硬い化学物質に変えて調節することも可能である。
【発明の効果】
【０００５】これにより男性のコンドーム装着時の感度がよくなり満足度の高い効果が男性、女性双方得られるコンドームを提供できる。
【図面の簡単な説明】
【０００６】
【図１】  膣にみたてた突起物等は図１の斜線で表記したものであり硬さは女性の膣の粘膜の硬さであるが、男性の陰茎の硬さによって柔らかい化学物質から硬い化学物質に変えて調節することも可能である。
【発明を実施するための形態】
【０００７】このコンドームを装着することによりコンドーム内側からも摩擦を受けることになり男性の感度が上がる。
【符号の説明】
【０００８】疑似膣内包型コンドーム
【図１】
2019122821.tif 000003
(57)【要約】【課題】布及び被服に手芸用平ゴムを配し、伸縮性をもたせて縫着するにはミシンを用い手芸用平ゴムを伸長しながら縫着するが、手芸用平ゴムの伸ばし加減の強弱により伸縮が均等にならず、ミシン作業は煩雑である。【解決手段】台紙あるいは板に両面テープの剥離紙面を貼着する。その上部に手芸用平ゴムを伸長し貼着したものを構成した。これを使用する時は、両面テープを貼着した手芸用平ゴムを台紙あるいは板から剥離し、伸長を維持しながら布及び被服に配置する。これによりミシンの縫着作業は不要であり、伸縮性も保持している。【選択図】図１
2019122680.tif 000002
【特許請求の範囲】
【請求項１】
台紙あるいは板に、両面テープの剥離紙面を密着し、
その上部に伸長して貼着する構成を特徴とした手芸用平ゴム。
【発明の詳細な説明】
【技術分野】
【０００１】
本発明は手芸用平ゴムに接着テープを貼着したものに関する。
【背景技術】
【０００２】
従来、布及び被服に手芸用平ゴムを配し、伸縮性をもたせて縫着するには、
ミシンを用い手芸用平ゴムを伸長しながら縫着する。
【発明の概要】
【発明が解決しようとする課題】
【０００３】
布及び被服に手芸用平ゴムを配し、伸縮性をもたせて縫着するには、
ミシンを用い手芸用平ゴムを伸長しながら縫着する。そのため手縫いでは、
ミシンに比べ時間と手間がかなりかかる。さらに、ミシンを使用しても平ゴムの
伸ばし加減の強弱により、伸縮が均等にならない。
【課題を解決するための手段】
【０００４】
本発明は手芸用平ゴムを伸長して接着テープに貼着したものである。
その構成を説明すると、
台紙あるいは板に、両面テープの剥離紙面を貼着し固定する。
その上部に手芸用平ゴムを伸長して貼着する。
これを使用する時は、両面テープを貼着した手芸用平ゴムの伸長を維持しながら
台紙あるいは板から剥離し、布及び被服に配置する。
【発明の効果】
【０００５】
本発明においては手芸用平ゴムの縫着が、煩雑なミシンの作業を不要とし、
布及び被服に貼着できる。さらに伸縮性も保持している。
【図面の簡単な説明】
【０００６】
【図１】本発明の平面図である。
【図２】本発明の拡大断面図である。
【図３】本発明の使用状態を示した拡大断面図である。
【図４】本発明の使用例を示した平面図である。
【発明を実施するための形態】
【０００７】
台紙あるいは板（１）の上部に両面テープ（３）の剥離紙面（２）を接着剤で密着する。
その上部すなわち両面テープの粘着面（３ｂ）に手芸用平ゴム（４）を伸長して貼着する。
これを使用する時には、両面テープを貼着した手芸用平ゴムを台紙あるいは板から剥離する。
台紙あるいは板には両面テープの剥離紙（２）が残り、手芸用平ゴムの下面に両面テープの粘着面（３a）が生ずる。
手芸用平ゴムの伸長を維持するため両端から剥離し、布及び被服（５）に配置すると、
本発明の手芸用平ゴムが布及び被服に接着する。
【符号の説明】
【０００８】
１  台紙あるいは板
２  両面テープの剥離紙
３  両面テープ
３a  両面テープの粘着面
３b  両面テープの粘着面
４  手芸用平ゴム
５  布及び被服
【図１】
2019122680.tif 000003
【図２】
2019122680.tif 000004
【図３】
2019122680.tif 000005
【図４】
2019122680.tif 000006
(57)【要約】【課題】  本発明は、喫食時の興趣性や食膳の演出効果を高め、料理の見映えや外観上の差別化を図り、さらに、調理過程におけるソースやつゆ等の液状食品と米飯や麺類、パン類等の主食材の混合タイミングを喫食直前に行うことで食材が持つ食感や風味の劣化を最小限に抑えることを課題とする。【解決手段】  料理皿に主食材を載置した後、主食材が載置されていない料理皿の平面部の領域において、両底面が開口した円柱形状もしくは角柱形状の容器の一方の底面開口部を料理皿の平面部に対し平行な状態で、かつ、接するように配置し、一方の底面開口部のみ料理皿で閉塞された状態を作り、もう一方の容器底面開口部から液状食品を充填し、喫食時に容器を持ち上げる等し容器と料理皿を分離させることで閉塞状態が解除された容器底面開口部から容器に充填されていた液状食品を料理皿上に開放させ主食材に合わせる。【選択図】図５
2019122357.tif 000002
【特許請求の範囲】
【請求項１】
両底面が開口した円柱形状もしくは角柱形状の容器の一方の底面開口部を料理皿の平面部に対し平行な状態で、かつ、料理皿に接するように配置し、一方の底面開口部のみ料理皿で閉塞された状態を作り、料理皿で閉塞されていないもう一方の容器底面開口部から液状食品を同容器へ充填することを特徴とする調理方法。
【請求項２】
液状食品が充填された前記容器を持ち上げる等し前記容器と料理皿を分離させることで閉塞状態が解除された容器底面開口部から、前記容器に充填されていた液状食品を料理皿上に開放し、同一料理皿上に載置されている主食材に合わせることを特徴とする料理の提供方法。
【発明の詳細な説明】
【技術分野】
【０００１】  本発明は、喫食時の興趣性や料理の見映え、食膳の演出効果を高め、食材が持つ食感や風味の劣化を最小限に抑えるソースやつゆ等の液状食品の提供方法に関するものである。
【背景技術】
【０００２】  従来、ソースやつゆ等の液状食品（以下、液状食品と呼ぶ）と米飯や麺類、パン類等の主食材（以下、主食材と呼ぶ）を合わせて食すカレーや麺料理などの調理食品において、その液状食品の提供方法は主食材に載置された状態か主食材に混合された状態、もしくは、主食材とは別容器等で提供されることが行なわれている。
【発明の概要】
【発明が解決しようとする課題】
【０００３】  本発明は、喫食時の興趣性や食膳の演出効果を高め、料理の見映えや外観上の差別化を図り、さらに、調理過程における液状食品と主食材を合わせるタイミングを喫食直前に行うことで食材が持つ食感や風味の劣化を最小限に抑えることを課題とする。
【課題を解決するための手段】
【０００４】  上記課題を解決するために、両底面が開口した円柱形状もしくは角柱形状の容器（以下、容器と呼ぶ）の一方の底面開口部を料理皿の平面部に対し平行な状態で、かつ、料理皿に接するように配置し、容器一方の底面開口部のみ料理皿の平面部で閉塞された状態を作り、もう一方の容器底面開口部から液状食品を充填する。【０００５】  喫食時、液状食品が充填されている容器を持ち上げる等し容器と料理皿を分離することで、閉塞状態が解除された容器底面開口部から液状食品を料理皿上に開放し主食材に合わせる。
【発明の効果】
【０００６】  本発明は、上記のような手段により、喫食時の興趣性や食膳の演出効果を高め、料理皿上に容器を配置した際の特徴的な外観により料理の見映え向上に期待ができ、また、喫食直前に主食材と液状食品を合わせるため、液状食品から主食材への時間経過による水分移行を最小限に留め食材が持つ食感や風味の維持を図ることができる。
【発明を実施するための形態】
【０００７】  以下、本発明の実施形態について図面に沿って説明する。
なお、本発明の実施で用いる容器については、耐熱性材質が好適であるが、容器に充填される液状食品の種類や液状食品に合わせる主食材の種類については特に限定されず本発明は実施できるものとなり、また、容器底面開口部を料理皿の平面部で閉塞できる料理皿上の領域が確保できれば、料理皿への主食材の盛り付け形状や料理皿の形状についても種別や種類を問わず本発明は実施できるものとなる。
【０００８】  図１は料理皿１上に環状に載置された米飯２と米飯２中央の凹部３の斜視図であり、図２は液状食品６を充填する容器４の斜視図、図３は米飯２中央の凹部３に容器４を配置し容器４の底面開口部５Ｂが料理皿１の平面部で閉塞されている状態の断面図を示し、図４は同斜視図、図５は図４の容器に液状食品６が充填された状態の断面図を示し、図６は容器４を料理皿１から分離し液状食品６を料理皿１上に開放した状態を例示した断面図となる。
【０００９】  図３の凹部３に配置されている容器４については、底面開口部５Ｂが料理皿１の平面部に対し平行な状態で、かつ、料理皿１に接するように配置されており、底面開口部５Ｂが料理皿１の平面部で閉塞されている状態を示している。
【００１０】  図５は容器４の底面開口部５Ａから液状食品６を充填した状態を示し、喫食時は液状食品６が充填されている容器４を持ち上げる等し容器４と料理皿１を分離させることで、図６で示すように、閉塞状態が解除された底面開口部５Ｂから容器４に充填されている液状食品６を料理皿１上に開放し米飯２に合わせる。なお、図６は料理皿１上に開放された液状食品６が米飯２上に広がる様子を示した一例となる。
【符号の説明】
【００１１】１  料理皿
２  米飯
３  凹部
４  容器
５Ａ  底面開口部
５Ｂ  底面開口部
６  液状食品
【図１】
2019122357.tif 000003
【図２】
2019122357.tif 000004
【図３】
2019122357.tif 000005
【図４】
2019122357.tif 000006
【図５】
2019122357.tif 000007
【図６】
2019122357.tif 000008
【手続補正書】
【提出日】平成30年8月10日(2018.8.10)
【手続補正１】
【補正対象書類名】明細書
【補正対象項目名】全文
【補正方法】変更
【補正の内容】
【発明の詳細な説明】
【技術分野】
【０００１】本発明は、喫食時の興趣性や料理の見映え、食膳の演出効果を高め、食材が持つ食感や風味の劣化を最小限に抑えるソースやつゆ等の液状食品の提供方法に関するものである。
【背景技術】
【０００２】従来、ソースやつゆ等の液状食品（以下、液状食品と呼ぶ）と米飯や麺類、パン類等の主食材（以下、主食材と呼ぶ）を合わせて食すカレーや麺料理などの調理食品において、その液状食品の提供方法は主食材に載置された状態か主食材に混合された状態、もしくは、主食材とは別容器等で提供されることが行なわれている。
【図面の簡単な説明】
【０００３】
【図１】図１は、料理皿上に載置された米飯と米飯中央の凹部を表す斜視図である。
【図２】図２は、液状食品を充填する容器を表す斜視図である。
【図３】図３は、米飯中央の凹部に容器を配置し容器の底面開口部が料理皿の平面部で閉塞されている状態を表す断面図である。
【図４】図４は、図３の斜視図を表す。
【図５】図５は、図３の容器に液状食品が充填された状態を表す断面図である。
【図６】図６は、容器を料理皿から分離し液状食品を料理皿上に開放した状態を表す断面図である。
【符号の説明】
【０００４】１  料理皿
２  米飯
３  凹部
４  容器
５Ａ  底面開口部
５Ｂ  底面開口部
６  液状食品
(57)【要約】【課題】草刈り機での作業には、刈り取る物が作業をする者に向かってくる面倒さと、刈り取り刃が木々への食い込みがあると機体と身体に衝撃のこわさがあつた。作業をする者の向こう側に飛ばしながら、木々への食い込みをしながらも逃げ去るようにさせた草刈り機用刈り取り刃を提供する。【解決の手段】盤の外側部を反り刃とし、反り刃の回転をする方向に反り曲線を設け先端部と背側部を設ける。さらに、反り刃の空間部下部に幅をする円部を設け、反り曲線と先端部と円部に刃を設ける。【選択図】図１
2019122360.tif 000002
【特許請求の範囲】
【請求項１】
盤（１）の外側部を反り刃（２）とし、反り刃（２）の回転をする方向に反り曲線（３）を設け先端部（５）と背側部（４）を設け、反り刃（２）の空間部（８）下部に幅をする円部（６）を設け、反り曲線（３）と先端部（５）と円部（６）に刃（７）を設けた草刈り機用刈り取り刃。
【請求項２】
盤（１）の外周を円形状に合わせ外側部を反り刃（２）とし、反り曲線（３）の曲線角度は適宜な曲線を保持し、先端部（５）を適宜な幅とほぼ平行と、背側部（４）の傾斜を適宜な角度とし、円部（６）の幅の長短を適宜に計り、円状を適宜な角度に保持をする、請求項１の草刈り機用刈り取り刃。
【請求項３】
反り曲線（３）と先端部（５）と円部（６）の刃（７）を設けるに、片刃、両刃、凹み刃に超合金刃、ダイヤモンド刃も要するとし、盤（１）の回転作用による風圧を逃がす変形をする穴を設けるも要し、反り刃（２）を上下に折り曲げることも要する。盤（１）とし、鉄材鋼材に合金系の材質を用いての、請求項１、請求項２の草刈り機用刈り取り刃。
【発明の詳細な説明】
【技術分野】
【０００１】  本発明は、草や小木を刈り取る作業において刈り取られ物が作業をする者に向かわせずに向こう側に飛ばすことができ、さらに石などの固い物や木の幹に当るも食い込まさせずに逃げることができる特に、草刈り機用の刈り取り刃に関するものである。
【背景技術】
【０００２】  従来、円形の形状に合わせて刈り取り刃が回転をする方向に爪状の刃が多数に設けられたもの、円形をさせた外側に垂直に短くの刈り取り刃を数カ所に設けてあるものなどがある。また、長方形の形状をする刈り取り刃等が市販をされ人々に知られている。
【発明の概要】
【発明が解決使用とする課題】
【０００３】  従来の刈り取り刃は、次のような欠点があった。
（イ）、爪状の刃が盤の回転方向に向け小刻みに設けてあるものを使用をするが刈り取られた物が作業をする者に向かってくる怖さがあった。。
（ロ）、円形状の外側部に垂直にある刃や長方形の形状をする刃にも、刈り取られた物が作業をする者に向かってくる怖さと、太い草茎や雑木に当たるときの反動が強く身体や草刈り機本体を傷めることがあった。
（ハ）、盤は左回転でするので、回転側に向かう刃がきつい角度、或は長方形に設けられていることは（イ）、（ロ）、において、刃が刈り取られた物を作業をする側に寄せることになり、盤の回転を強くする毎に手前に飛ぶことがより多くなるのである。
本発明は、以上の問題点を解決するために発明されたものである。
【課題を解決するための手段】
【０００４】  盤（１）の外周を円形状に合わせ外側部を反り刃（２）とし、反り刃（２）の回転をする方向に反り曲線（３）を設け先端部（５）と背側部（４）を設ける。
さらに、反り刃（２）の空間部（８）下部に幅をする円部（６）を設け、反り曲線（３）と先端部（５）と円部（６）に刃（７）を設ける。
以上の構成よりなる草刈り機用刈り取り刃。
【発明の効果】
【０００５】  本発明を使用することによって、反り刃であることから刈り取られた物を作業をする者の向こう側に飛ばし向かってくることを防ぎ、木々への食い込みをしながらも逃げ去るようになり身体に及ぼす衝撃の危険と機体の損傷を防ぐことができる。
また本発明は、反り刃との間に空間部があることから盤に軽さがあり、長尺丈の刈り取る物も上面から中頃から下面からと思う所の位置で機体の重さを気にする事無く作業が可能であり、合わせて、反り刃との間に刈り取られる物が入り易く、この長尺丈の上面から下面にと反り刃を回転をさせながら降下をさせると上面から刻みの刈り取りをさせるので、長尺丈で繁る篠竹作業の用途にも及ぶことができる。
【図面の簡単な説明】
【０００６】
【図１】本発明の刈り取り刃の斜視図
【図２】本発明の刈り取り刃の斜視図
【発明を実施するための形態】
【０００７】  以下、本発明の実施の形態を説明する。
（イ）、盤（１）の外側部を反り刃（２）とし、反り刃（２）の回転をする方向に反り曲線（３）を設け、先端部（５）と背側部（４）を設ける。さらに、反り刃（２）の空間部（８）下部に幅をする円部（６）を設け、反り曲線（３）と先端部（５）と円部（６）とに刃（７）を設ける。
（ロ）、反り曲線（３）の曲線角度は適宜な曲線を保持し、先端部（５）を適宜な幅とほぼ平行と、背側部（４）の傾斜を適宜な角度とさせ円部（６）の幅の長短を適宜に計り、円状を適宜な角度に保持をする。
（ハ）、盤（１）とし、鉄材鋼材、合金系材質で用途により反り曲線（３）と先端部（５）と円部（６）とに片刃、両刃、凹み刃、超合金刃、ダイヤモンド刃を設けるを要するとし、盤（１）の回転作用による風圧を逃がす穴を設けるを要するとする。
本発明は以上の構成よりなる。
本発明を使用する場合は、盤（１）とし、盤（１）が回転をする方向に反り刃（２）の反り曲線（３）を合わせて草刈り機取付部（９）を草刈り機本体に装着をして使用することができる。
【符号の説明】
【０００８】１  盤
２  反り刃
３  反り曲線
４  背側部
５  先端部
６  円部
７  刃
８  空間部
９  草刈り機取付部
【図１】
2019122360.tif 000003
【図２】
2019122360.tif 000004
(57)【要約】【課題】衣類を洗濯ばさみに保持、取り外す一連の動作を片手で行えるようにする。【解決手段】衣類を洗濯ばさみの衣類等保持部（下）１２に掛け、洗濯ばさみをガイド部８を中心に下向きに回転させる。ガイド部８がスリット1を衣類等保持部１３から離れる方向に移動すると衣類等保持部１３が閉じる。衣類等保持部１３を、ガイド部８を中心に回転させながら持ち上げるとスリット1を吊り下げ部品６のガイド部８が衣類等保持部１３側へと移動、軸９を中心に衣類等保持部１３が開く。この仕組みを有する洗濯ばさみで解決する。【選択図】図１
2019122570.tif 000002
【特許請求の範囲】
【請求項１】
洗濯ばさみを回転させることで保持部が開閉する仕組みを有する洗濯ばさみ。
【請求項２】
請求項１に記載の洗濯ばさみのスリットの内部にガイド部が引っかかる凹凸を設けることで衣類等保持部に力を加えながら持ち上げたときのみガイド部が衣類等保持部側に移動、衣類等保持部が開く洗濯ばさみ。
【請求項３】
請求項１又は２に記載の洗濯ばさみの表面に図柄を施した洗濯ばさみ。
【請求項４】
請求項１、２又は３に記載の洗濯ばさみの表面を肉抜きした洗濯ばさみ。
【請求項５】
請求項１、２、３又は４に記載の洗濯ばさみのスリットの形状に数学的曲線を用いた洗濯ばさみ。
【請求項６】
請求項１、２、３、４又は５に記載の洗濯ばさみの衣類等保持部に滑り止めを施した洗濯ばさみ。
【請求項７】
請求項１、２、３、４、５又は６に記載の洗濯ばさみを複数重ねた形状の洗濯ばさみ。
【請求項８】
請求項１、２、３、４、５、６又は７に記載の洗濯ばさみに衣類等保持部が開閉する方向に洗濯ばさみを動かせる部品を取り付けた洗濯ばさみ
【発明の詳細な説明】
【技術分野】
【０００１】
本発明は、片手があれば使用できる洗濯ばさみに関するものである。
【背景技術】
【０００２】
洗濯ばさみは衣類を保持する用途で使用されている（特許文献１参照）
【０００３】
しかし、洗濯ばさみの使用者が片手しか使用できないとき、操作が難しいという問題がある。
【０００４】
この問題は身体障害者や片手に乳幼児を抱いた者には洗濯ばさみを操作できない事態をまねいている。
【０００５】
この改善策として洗濯ばさみの開いた状態を維持でき、衣類を洗濯ばさみの保持部に掛けると洗濯ばさみが閉じる機構で対処する。
【先行技術文献】
【特許文献】
【０００６】
【特許文献１】実開昭６２−１０４７８６
【発明の概要】
【発明が解決しようとする課題】
【０００７】
解決しようとする問題点は、衣類を洗濯ばさみで保持、そこから取り外す一連の操作が片手のみでは困難な点である。
【課題を解決するための手段】
【０００８】
本発明は洗濯ばさみの衣類を挟む箇所を開いたまま吊り下げておくことができ、閉じていても、衣類を持ったままの片手で開いた状態にできる。また、洗濯ばさみを閉じて衣類を保持させる操作も片手のみで操作できることを最も主要な特徴とする。
【発明の効果】
【０００９】
本発明の洗濯ばさみは片手で操作することができるので、片手に障害がある、または片手に別のものを持って使えない状態でも操作できる利点がある。
【図面の簡単な説明】
【００１０】
【図１】図１は洗濯ばさみの形状を示した斜視図である。
【図２】図２は洗濯ばさみの主要部分の形状を示した三面図である。
【発明を実施するための形態】
【００１１】
以下、本発明の実施の形態について説明する。
イ)    洗濯ばさみの衣類を保持する箇所（衣類等保持部１３）が開いた状態で吊り下がっているところに、衣類を衣類等保持部（下）１２に掛けると、洗濯ばさみはガイド部８を中心に下向きに回転し、ガイド部８がスリット1を衣類等保持部１３の逆側に移動する。それにより軸９を中心に洗濯ばさみが閉じる。
衣類等保持部３を、ガイド部８を中心に回転させながら持ち上げるとスリット1を吊り下げ部品６のガイド部８が衣類等保持部１３側へと移動、軸穴２に通した軸９を中心に衣類等保持部(上)３と衣類等保持部(下)１２の間に隙間ができる仕組み。
ロ)   スリット1の内部にガイド部８がひっかかる凸凹を設けることで風などの影響で衣類等保持部１３が開かないようにできる。
ハ)   洗濯ばさみに図柄を表示することができる。
ニ)   洗濯ばさみ本体部品Ａ４及び洗濯ばさみ本体部品Ｂ５に施すスリット1の形状を変化させることで衣類等保持部１３の挟み付ける力の特性を変化させることができる。
ホ)   軸９及びＥ型止め輪１１は洗濯ばさみ本体部品Ａ４または洗濯ばさみ本体部品Ｂ５の一部を用いてその目的を代用することができる。
ヘ)   洗濯ばさみ本体部品Ａ４および洗濯ばさみ本体部品Ｂ５を肉抜きして軽くすることができる。
ト)     洗濯ばさみ本体部品Ａ４または洗濯ばさみ本体部品Ｂ５に、これらの部品を上方に回転させる為の部品を取り付け、回転させることで衣類等を保持している状態の洗濯ばさみの衣類等保持部１３を開くことができる。
チ)   衣類等保持部１３に滑り止めを施すことができる。
【符号の説明】
【００１２】
１    スリット
２    軸穴
３    衣類等保持部（上）
４    洗濯ばさみ本体部品Ａ
５    洗濯ばさみ本体部品Ｂ
６    吊り下げ部品
７    固定用の穴
８    ガイド部
９    軸
１０  Ｅ型止め輪ガイド
１１  Ｅ型止め輪
１２  衣類等保持部（下）
１３  衣類等保持部
【図１】
2019122570.tif 000003
【図２】
2019122570.tif 000004
(57)【要約】      （修正有）【課題】沈降分離装置の取水口における上昇流を抑制し、清澄度の高い上澄み水を取水することができる方法の提供。【解決手段】横流沈降池２において、長方形の沈澱池の一方に汚濁水の流入口３を設け、急速撹拌槽４、緩速撹拌槽５、沈降槽６を順次設けられ、入口３の反対側に取水口７が設けられ、取水口７には清澄水を槽外に排出するための排出口８が設けられている。この取水口７に、水面保護材１を設けて取水する、沈降分離装置の取水方法。【選択図】図５
2019122918.tif 000002
【特許請求の範囲】
【請求項１】
沈降分離装置において、沈降分離装置の取水口の水面部に水面保護材を設けて取水することを特徴とする沈降分離装置の取水方法。
【発明の詳細な説明】
【技術分野】
【０００１】
本発明は、沈降分離装置における取水方法に関する。
【背景技術】
【０００２】
沈降分離装置は、一般的に懸濁水またはスラリーを水平に流し、固形分を重力によって沈降させる装置であり、濃厚スラリーを得ることを目的とする濃縮装置（シックナー）と、清澄な液を得ることを目的とする清澄装置（クラリファイヤー）とが知られている。これらの沈降分離装置は、原理的には、装置内に懸濁水またはスラリーを流すことによって、固形分は液の流れに乗って出口方向に流しながら重力によって下方に沈降させ、出口までに床面に沈降させ、固形分の分離が行われる。
これらの沈降分離装置の型式としては、円型沈澱池、横流沈澱池、方形沈澱池、高速沈澱池等が知られている。そして、これらの沈降分離装置はいずれも装置の取水口（流出口）において上昇流が生起するため床面に沈殿した固形分が巻き上げられて取水口から流出してしまう欠点があった。さらにこれに風の影響や、水温の影響によってこれらの現象はさらに増大していた。
【発明の概要】
【発明が解決しようとする課題】
【０００３】
本発明者は、沈降分離装置の前述したような多くの欠点を解消すべく種々研究を重ねた結果本発明を完成するに至った。
【課題を解決するための手段】
【０００４】
すなわち、本発明は沈降分離装置において、取水口の水面部に水面保護材を設けて取水することからなる、沈降分離装置の取水方法である。
【発明の効果】
【０００５】
本発明方法によれば、取水口部における上昇流を抑制することができ、さらに風による乱流の防止、風による水温の低下防止、油分の吸着等の効果を得ることができ、結果的に清澄度の高い清澄水を取水することができる。
【図面の簡単な説明】
【０００６】
【図１】水面保護材の斜視図である。
【図２】フロートの上部に水面保護材１を設けた場合の斜視図である。
【図３】フロートの中間部に水面保護材１を設けた場合の斜視図である。
【図４】フロートの下部に水面保護材１を設けた場合の斜視図である。
【図５】横流沈澱池の平面図である。
【発明を実施するための形態】
【０００７】
次に本発明を図面を参照しながら説明する。
図１は、本発明の水面保護材１の斜視図である。水面保護材の素材としては、ネット、シート、ラッシュ等が挙げられる。
この水面保護材１は、例えば比重１以下の水面保護材１を水面に浮かせたり、あるいは水面に浸す状態で設けることができる。さらにフロートを用い図２、図３、図４に示すように該フロートの上部、下部、中間部から水面保護材１を展張することができる。フロートの上部および中間部から展張することによって水面との間に間隔を設けて展張することができる。この場合水面とネットとの間隔は、一般的に１〜３０ｃｍであることが好ましい。
このように沈降分離装置の取水口近傍の水面部に水面保護材１を設けることによって、風による乱流の防止、風による水温の低下防止、油分の吸着等の種々の効果が得られる。また沈降分離装置の水面部全体あるいは一部に水面保護材１を展張することができる。
【０００８】
次に横流沈澱池を例にとり説明する。図５は横流沈澱池２の平面図であり、長方形の沈澱池の一方に汚濁水の流入口３を設け、急速撹拌槽４、緩速撹拌槽５、沈降槽６が順次設けられている。そして流入口３の反対側に取水口７が設けられている。取水口７には清澄水を槽外に排出するための排出口８が設けられている。
このような横流沈澱池２の取水口７の近傍水面に水面保護材１を設ける。
【０００９】
次に汚濁水の処理方法を図５の横流沈澱池２に基づき説明する。流入口３から汚濁水を沈澱池に導入し、これに凝集剤等を添加した後、急速撹拌槽４で撹拌する。次に緩速撹拌槽５でゆっくり撹拌し、汚濁水中の固形分のフロック化を行い、次の沈降槽６に導入する。沈降槽６で固形分が除去された清澄水は、取水口７に導入される。取水口７に導入された清澄水は排出口８を通して沈殿槽の外に排出される。
【符号の説明】
【００１０】
１・・・水面保護材
【図１】
2019122918.tif 000003
【図２】
2019122918.tif 000004
【図３】
2019122918.tif 000005
【図４】
2019122918.tif 000006
【図５】
2019122918.tif 000007
(57)【要約】【課題】蒸気とともに芳香を衣類に付着させることができるアイロンを提供する。【課題を解決するための手段】  スチームアイロンに関し、給水タンクの給水口の蓋に所定大きさの筒体を設け、当該筒体の内周に雌ネジを刻設するとともに、前記筒体に符号する外周をもつ芳香剤容器の外周に前記雌ネジに符号する雄ネジを刻設しておき、前記芳香剤容器内に芳香剤を収容して前記筒体に螺着した構成を備える。また、給水タンクの上面に芳香剤口が設けられるとともに、当該芳香剤口に、上端にフランジを備え、底面に小穴が開けられ、また上端の内周には蓋を螺着できる芳香剤容器が嵌挿され、当該芳香剤容器に芳香剤あるいは芳香剤を染み込ませたスポンジ等を収容した構成を備える。【選択図】図２
2019122714.tif 000002
【特許請求の範囲】
【請求項１】
給水タンクの給水口の蓋に所定大きさの筒体を設け、当該筒体の内周に雌ネジを刻設するとともに、前記筒体に符号する外周をもつ芳香剤容器の外周に前記雌ネジに符号する雄ネジを刻設しておき、前記芳香剤容器内に芳香剤を収容して前記筒体に螺着することを特徴とするアイロン。
【請求項２】
給水タンクの上面に芳香剤口が設けられるとともに、当該芳香剤口に、上端にフランジを備え、底面に小穴が開けられ、また上端の内周には蓋を螺着できる芳香剤容器が嵌挿され、当該芳香剤容器に芳香剤あるいは芳香剤を染み込ませたスポンジ等を収容したことを特徴とするアイロン。
【発明の詳細な説明】
【技術分野】
【０００１】
本発明はスチームアイロンに関し、特に、芳香をかもすスチームアイロンに関する。
【背景技術】
【０００２】
衣服に単純に熱を掛けるだけのアイロンでは、十分に皺を伸ばすことができないので、使用中に蒸気が噴出する構造のいわゆるスチームアイロンになっている。一方で、特開２０１４−１４６８号に開示するように、衣服に匂いを付ける目的で、香水を掛ける等のことが行われている。
【先行技術文献】
【特許文献】
【０００３】
【特許文献１】特開２０１４−１４６８号公報
【発明の概要】
【発明が解決しようとする課題】
【０００４】
上記従来の慣習では、アイロンを掛ける行為と、衣服に匂いを着ける行為とは別の行為であり、同時にすることはできない。
【０００５】
本発明は上記従来の事情に鑑みて提案されたものであって、蒸気とともに芳香を衣類に付着させることができるアイロンを提供することを目的とする。
【課題を解決するための手段】
【０００６】
本発明は、スチームアイロンに関し、給水タンクの給水口の蓋に所定大きさの筒体を設け、当該筒体の内周に雌ネジを刻設するとともに、前記筒体に符号する外周をもつ芳香剤容器の外周に前記雌ネジに符号する雄ネジを刻設しておき、前記芳香剤容器内に芳香剤を収容して前記筒体に螺着した構成を備える。
【０００７】
また、給水タンクの上面に芳香剤口が設けられるとともに、当該芳香剤口に、上端にフランジを備え、底面に小穴が開けられ、また上端の内周には蓋を螺着できる芳香剤容器が嵌挿され、当該芳香剤容器に芳香剤あるいは芳香剤を染み込ませたスポンジ等を収容した構成を備える。
【発明の効果】
【０００８】
上記構成により、芳香剤を給水タンクの蓋あるいは、給水タンクの上面に収容することができ、従来の構成を大きく変えることなく、給水タンク内の水に芳香剤の成分を拡散させることができる。
【図面の簡単な説明】
【０００９】
【図１】スチームアイロンの全体を示す図。
【図２】本発明の腰部を示す図。
【図３】芳香剤容器を示す図。
【図４】本発明の給水タンクを示す図。
【図５】芳香剤容器を示す図。
【発明を実施するための形態】
【００１０】
図１はスチームアイロンの全体を示す図である。
【００１１】
スチームアイロンは、給水タンク１０に蓄えられた水を蒸気として、本体１の底から噴出する構造を持っている。水は消費されることから、給水タンク１０に水を補給するための、給水口２０が設けられ、当該給水口２０には蓋３０が開閉できるようになっており、また、当該給水口２０から給水タンク１０に向かって水を誘導するための給水管２１が設けられている。
【００１２】
このような構造において、図２、図３に示すように、前記蓋３０の裏側に、後述の容器４１を治めるための管体４０が設けられる。もちろん当該管体４０は、前記蓋３０の開閉に支障がない大きさとする。すなわち、蓋３０を閉めるとき管体４０が給水口２０や給水管２１に干渉しない大きさとする。
【００１３】
当該管体４０の上側は蓋３０で塞がれ、下側は開放され、内周に雌ネジ４３が刻設されている。更に前記管体４０の形状に符合する管状で一方の端が塞がった容器４１が別途用意され、その管状部分の外周には前記雌ネジ４３に対応する雄ネジ４２が刻設され、前記塞がった部分の中央に、芳香剤が染み出す小穴４４が開けられている。
【００１４】
上記構造で、前記容器４１の開放側から芳香剤、あるいは芳香剤をしみ込ませたスポンジ４５等をいれておき、当該小穴４４の側を下にして前記雌ネジ４３に雄ネジ４２を螺着して、蓋３０を閉める。これによって、前記小穴４４の部分が給水タンク１０に溜まった水に浸っている状態が形成され、芳香剤は給水タンク１０に染み出し、従って、蒸気になったときには、当該蒸気とともに噴出することになる。
【００１５】
図４、図５は本発明の別の実施態様を示すものである。
【００１６】
当該給水タンク１０の上面に前記給水口２０が設けられるとともに、当該給水口２０とは別に芳香剤口６０が設けられる。当該芳香剤口６０には、上端にフランジ５５を備える芳香剤容器５０が嵌挿され、前記フランジ５５は給水タンク１０の上面で係止される。芳香剤容器５０の中には、芳香剤あるいは芳香剤を染み込ませたスポンジ等を入れ、その底面には、小穴５４が開けられている。また上面の内周には蓋５１を螺着できるようになっている。
【００１７】
この芳香剤容器５０に前記のように芳香剤あるいは広報剤を染み込ませたスポンジ等を入れて芳香剤口６０に差し込むと、前記小穴５４を介して芳香剤が給水タンク内の水に染み出し、結果として噴出す蒸気に芳香が含まれることになる。
【産業上の利用可能性】
【００１８】
上記構成により、スチームアイロンの出すスチームに芳香を含ませることができ、アイロンでの仕上げとともに、衣服に匂いを付着させることができることになる。
【符号の説明】
【００１９】
１・・・本体
１０・・給水タンク
２０・・給水口
２１・・給水管
３０・・蓋
４０・・管体
４１・・容器
４２・・雄ネジ
４３・・雌ネジ
４４・・小穴
５０・・芳香剤容器
５１・・蓋
５４・・小穴
６０・・芳香剤口
【図１】
2019122714.tif 000003
【図２】
2019122714.tif 000004
【図３】
2019122714.tif 000005
【図４】
2019122714.tif 000006
【図５】
2019122714.tif 000007
(57)【要約】【課題】従来、小物類が並べられた棚の上のほこりを取り除くために掃除機をかけると、小物類を倒したり吸引したりしてしまった。また、はたきや静電気ブラシで小物類や棚のほこりをはたくと、ほこりが部屋に舞い上がってしまった。【解決手段】ラッパ状の吸引口３を有し、その吸引口の中央付近に突出したブラシ１を有することを特徴とする掃除機ノズルアタッチメントを提供することで上記課題を解決する。【選択図】図１
2019122737.tif 000002
【特許請求の範囲】
【請求項１】
ラッパ状の吸引口を有し、その吸引口の中央付近に突出したブラシを有することを特徴とする掃除機ノズルアタッチメント。
【請求項２】
前記ブラシは、電動で振動したり回転したりすることを特徴とする請求項１記載の掃除機ノズルアタッチメント。
【請求項３】
前記ラッパ状吸引口が、じゃばら状に折りたためる吸引口を有する請求項１記載の掃除機ノズルアタッチメント。
【請求項４】
前記吸引口において、開口部と根本部とが平行ではなく、斜めになっていることを特徴とする請求項１記載の掃除機ノズルアタッチメント。
【発明の詳細な説明】
【技術分野】
【０００１】本発明は、ほこりをブラシで舞い上がらせて、吸引する掃除機ノズルに関する。
【背景技術】
【０００２】従来、小物類が並べられた棚の上のほこりを取り除くための掃除機ノズルには、先のすぼまった細いノズルや、吸引口の外周にブラシを有するノズルがある。
また、掃除機ノズルではないが、はたきや静電気ブラシがある。
【先行技術文献】
【特許文献】
【０００３】
【特許文献１】特開２０１４−２００６４３公報
【特許文献２】特開２０１２−０００３７６公報
【特許文献３】特開２００９−２９７３７０公報
【特許文献４】実開平６−０８５６４８公報
【特許文献５】実開平６−４６６５１公報
【発明の概要】
【発明が解決しようとする課題】
【０００４】従来、小物類が並べられた棚の上のほこりを取り除くために掃除機をかけると、小物類を倒したり吸引したりしてしまった。
また、はたきや静電気ブラシで小物類や棚のほこりをはたくと、ほこりが部屋に舞い上がってしまった。
【課題を解決するための手段】
【０００５】ラッパ状の吸引口３を有し、その吸引口の中央付近に突出したブラシ１を有することを特徴とする掃除機ノズルアタッチメントを提供することで上記課題を解決する。
【発明の効果】
【０００６】本発明を使用し、突出したブラシでほこりを舞い上がらせ、ラッパ状の吸引口ですぐに吸引することによって、棚の上に並べられた小物類を倒したり吸引したりせずに、棚の上のほこりを取り除くことができる。
また、本発明は、ほこりを部屋中に舞上がらせない。
【図面の簡単な説明】
【０００７】
【図１】本発明の実施態様を示す斜視図である。
【図２】本発明の実施態様を示す斜視図である。
【図３】本発明の実施態様を示す斜視図である。
【図４】本発明の実施態様を示す斜視図である。
【図５】本発明の実施態様を示す斜視図である。
【発明を実施するための形態】
【０００８】ラッパ状吸引口３を有し、その吸引口の中央付近に突出したブラシ１を有する。
図１ないし図５は、本発明に係るブラシ付き掃除機ノズルアタッチメントの実施例を示す。
【実施例１】
【０００９】図１は、ブラシの柄２を、ラッパ状吸引口の吸引管６に固着させている。
【実施例２】
【００１０】図２は、ブラシ１を、ラッパ状吸引口の開口部４に付着した支持部材７に固着させている。
【実施例３】
【００１１】図３は、ラッパ状吸引口３が、じゃばら状になっている。
図４は、じゃばら状のラッパ状吸引口３を、折りたたんだ状態を示す。
【実施例４】
【００１２】図５は、ラッパ状吸引口の開口部４と根本部５とが平行ではなく、斜めになっている。
【符号の説明】
【００１３】１  ブラシ
２  ブラシの柄
３  ラッパ状吸引口
４  開口部
５  根本部
６  吸引管
７  支持部材
【図１】
2019122737.tif 000003
【図２】
2019122737.tif 000004
【図３】
2019122737.tif 000005
【図４】
2019122737.tif 000006
【図５】
2019122737.tif 000007
(57)【要約】【課題】従来の日傘、テントは日除けの効果しかないため、気温が高いときには快適性に問題があった。【解決手段】保水力の大きい布からの蒸発により布の下の温度上昇を抑える事ができる【特許請求の範囲】
【請求項１】
太陽光を遮ることで快適感をだす道具に使う布に吸水性をもたせて使用時に濡らすことで気化熱により快適感を上げる道具を提供する
【発明の詳細な説明】
【技術分野】
【０００１】  本発明は気化熱を利用し、高温から人体を守る道具。
【発明の開示】
【発明が解決しようとする課題】
【０００２】  従来の道具は太陽光を遮蔽することにより快適感をだしていたが気温の高い時には外出時間の制限になる。
【課題を解決するための手段】
【０００３】  以上の課題を解決するために、当発明は保水性の高い布を用いて、使用時に布の部分を濡らす事で気化熱により布の下側の温度を下げる効果を提供できる。
【発明の効果】
【０００４】  体感温度を下げることにより  外出時の負担を減らすことができる
(57)【要約】      （修正有）【課題】全ての靴に移し替え可能なセットになっており、「健康シューズ」用中敷きとして足裏に当たる足つぼを溂激して、靴の中空に３つのコイルスプリングで歩行をサポートする。【解決手段】靴の中敷き全体を中空にし、足裏に当る中空にシリコン樹脂製の突起１であって碁盤状の足つぼ溂激用突起１を配置して、少くとも中空と靴底の内側の空間には、靴先、靴中、靴後にそれぞれ空間の高さに合ったコイルスプリング２を配置することを特徴とする「健康シューズ」中敷き。【選択図】図１
2019122744.tif 000002
【特許請求の範囲】
【請求項１】
靴の中敷き全体を中空に足裏に当たる前記中敷きにシリコン樹脂の突起であって、碁盤状の足つぼ溂激用突起を配置して、少なくとも中敷きの上面と中敷きの下面の内側の空間には、靴先、靴中、靴後にそれぞれ空間の高さに合った３つのスプリングコイルを配置することを、特徴とする健康シューズの中敷き。
【請求項２】
上記の中敷きの中空で３つのスプリングコイルを固定したままシリコン樹脂で囲うことで、他の靴にも移し替えるが可能となることを特徴とする請求項１に記載の健康シューズの中敷き。
【請求項３】
上記スプリングコイルの高さはつま先側を低く、かかと側を高く構成した請求項１又は請求項２に記載の健康シューズ中敷き。
【発明の詳細な説明】
【技術分野】
【０００１】本発明は健康シューズ用中敷きにかかる。
【背景技術】
【０００２】特許文献１には靴底にスプリングを配置した運動靴が、開示されている。
特許文献２には同様に靴底スプリングを配置した運動靴が、開示されている
【先行技術文献】
【特許文献】
【０００３】
【特許文献１】特表平９−５０６８０４
【特許文献２】特表２０１３−５２３２０７
【発明の概要】
【発明が解決しようとする課題】
【０００４】本発明が従来型と異なるのは靴底にスプリングが固定されているので  １）他の靴には転用できない  ２）１個ではバランスが悪い。
どの靴にも転用可能な健康シューズを提供するのが、本発明の健康シューズ用中敷き。
【課題を解決するための手段】
【０００５】本発明は靴の中敷全体を中空にし、足裏に当たる中底にシリコン樹脂の突起であって碁盤状の足つぼ溂激用突起を配置して、少なくとも中底と靴底の内側の空間には、靴先、靴中、靴後にそれぞれ空間の高さに合った３つのスプリングコイルを配置することを、特徴とする健康シューズの中敷き。
加えて  １）他の靴にも転用でき  ２）コイルスプリングが３つあるのでバランスが取り易い構成になっている健康シューズ中敷き。
【発明の効果】
【０００６】本発明は中敷きの靴中の中空に配置した３つのスプリングコイルを配置し、歩行をサポートし、又は突起状の碁盤状の足つぼを足裏に当たる部分に配置して、足つぼを溂激する健康シューズ用中敷となる。
【図面の簡単な説明】
【０００７】
【図１】本発明の１例を示す縦断面図
【図２】本発明の１例を示す平面図
【図３】本発明の使用例を示す縦断面図
【発明を実施するための形態】
【０００１】本発明は、どの靴にも移し替えることができる健康シューズ用中敷として構成されている。本発明の中敷きは、中底と靴底との間を中空とし、靴先（つま先）、靴中、靴後（かかと）にスプリングを配置している
【実施例】
【０００２】本発明は市場にある靴への固定型ではなく、中底の足裏と接する部分に足つぼ溂激用突起を有している健康シューズ用中敷き。
図の中敷きは足サイズ２７ｃｍと仮定し、つま先の厚み０ｃｍ  かかとの厚み１．３ｃｍ  中空部のつま先のすきま、１．０ｃｍ  かかとのすき１．２ｃｍ  中空スプリングは靴先０．５ｃｍ  靴中１．０ｃｍ  靴後１．２ｃｍ  の長さのコイルバネを用いた。
【産業上の利用の可能性】
【０００３】同様の靴底使用で足つぼ溂激、コイルスプリングは特許にありますが全て固定型で他の靴にセットで移し替えのできる健康シューズ中敷きは本発明だけです。
【符号の説明】
【０００４】１    碁盤状の足つぼシリコン樹脂
２    コイルスプリング
３    シリコン樹脂
４    本体（セット）
【図１】
2019122744.tif 000003
【図２】
2019122744.tif 000004
【図３】
2019122744.tif 000005